【手続補正書】
【提出日】平成25年3月21日(2013.3.21)
【手続補正１】
【補正対象書類名】特許請求の範囲
【補正対象項目名】全文
【補正方法】変更
【補正の内容】
【特許請求の範囲】
【請求項１】
移動モバイルクライアント上に表示するために、予測検索結果を持続的に決定するための装置であって、該装置は、
該移動モバイルクライアントの現在の場所を持続的に受信するための通信モジュールと、
該通信モジュールに通信可能に連結され、該受信された現在の場所に基づいて、道路ネットワーク地図に対して、該移動モバイルクライアントの場所を持続的に突き止めるための場所決定モジュールと、
該場所決定モジュールに通信可能に連結され、該道路ネットワーク地図上で、該移動モバイルクライアントによって移動可能な複数のルートを持続的に予測するための予測ツリージェネレータであって、該複数の予測されたルートは、該移動モバイルクライアントの現在の場所の変化に応答して、再予測される、予測ツリージェネレータと、
該予測ツリージェネレータに通信可能に連結され、該移動モバイルクライアントの特定のユーザに関連付けられたユーザプロフィール情報を含む検索基準に基づいて、該複数の予測されたルート上の複数の着目地点を持続的に決定するための着目地点決定モジュールと
を含む、装置。
【請求項２】
指定された目的地点がない場合、前記通信モジュールは、前記移動モバイルクライアントの速度および該移動モバイルクライアントの進行方向のうちの１つをさらに受信し、前記予測ツリージェネレータは、該速度および該進行方向のうちの１つを使用して、前記複数のルートを予測する、請求項１に記載の装置。
【請求項３】
前記複数の予測されたルートに基づいて、検索空間を生成するための検索空間ジェネレータをさらに含み、前記着目地点決定モジュールは、該検索空間内の該複数の予測されたルートを検索し、前記複数の着目地点を決定する、請求項１または２に記載の装置。
【請求項４】
前記検索空間は、前記複数の予測されたルート内の主要交差点の周囲に円形を含む、請求項３に記載の装置。
【請求項５】
前記通信モジュールは、前記移動モバイルクライアントに、前記決定された複数の着目地点に関する情報の最初の薄層と、後の厚層とを伝送し、該薄層は、該決定された複数の着目地点に関する名称と場所情報とを含み、該厚層は、該決定された複数の着目地点に関するユーザ生成ＰＯＩ情報を含む、請求項１〜４のいずれかに記載の装置。
【請求項６】
移動モバイルクライアント上に現在関連する着目地点への方向を表示するための装置であって、該装置は、
サーバに、該モバイルクライアントの現在の場所を持続的に伝送し、該サーバから、複数の着目地点を持続的に受信するための通信モジュールであって、該複数の着目地点は、該移動モバイルクライアントに関連付けられた検索基準に基づき、該検索基準は、該移動モバイルクライアントの特定のユーザに関連付けられた利用履歴を含み、該複数の着目地点は、該移動モバイルクライアントの該特定のユーザによって移動されるように予測される複数の可能性のあるルート上に位置する、通信モジュールと、
該受信された複数の着目地点を記憶するための記憶モジュールと、
該記憶モジュールに通信可能に連結され、該記憶された複数の着目地点から現在の着目地点を持続的に決定するための現在の着目地点決定モジュールと、
ユーザに、該決定された現在の着目地点への方向を通信するためのユーザインターフェースモジュールと
を含む、装置。
【請求項７】
前記現在の着目地点決定モジュールは、前記モバイルクライアントの変化した現在の場所に基づいて、前記現在の着目地点を持続的に決定する、請求項６に記載の装置。
【請求項８】
前記通信モジュールは、前記サーバから、前記複数の着目地点に関する情報の最初の薄層と、後の厚層とを受信し、該薄層は、該複数の着目地点に関する名称と場所情報とを含み、該厚層は、該複数の着目地点に関するユーザ生成ＰＯＩ情報を含む、請求項６または７に記載の装置。
【請求項９】
前記通信モジュールは、前記サーバに、前記モバイルクライアントの速度および該モバイルクライアントの進行方向のうちの１つをさらに伝送し、指定の目的地がない場合、該速度および該進行方向のうちの１つは、該サーバによって使用され、前記複数の着目地点を決定する、請求項６〜８のいずれかに記載の装置。
【請求項１０】
移動モバイルクライアント上に現在の関連着目地点への方向を表示するための方法であって、該方法は、
該移動モバイルクライアントの現在の場所を持続的に受信することと、
該受信された現在の場所に基づいて、道路ネットワーク地図上の該移動モバイルクライアントの場所を持続的に突き止めることと、
該持続的に受信された現在の場所に基づいて、該道路ネットワーク地図上の該移動モバイルクライアントによって移動可能な複数のルートを持続的に予測することであって、該複数の予測されたルートは、該移動モバイルクライアントの現在の場所の変化に伴って変化する、ことと、
該複数の予測されたルート上の複数の着目地点を持続的に決定することであって、該着目地点は、該移動モバイルクライアントのユーザに関連付けられた運転パターンに基づいて持続的に決定される、ことと
を含む、方法。
【請求項１１】
前記移動モバイルクライアントの速度および該移動モバイルクライアントの進行方向のうちの１つを受信することをさらに含み、指定された目的地がない場合、前記複数のルートは、該速度および該進行方向のうちの該受信された１つに基づいて予測される、請求項１０に記載の方法。
【請求項１２】
前記複数の予測されたルートに基づいて、検索空間を生成することをさらに含み、前記複数の決定された着目地点は、該検索空間内かつ該予測された複数のルート上に位置する、請求項１０または１１に記載の方法。
【請求項１３】
前記検索空間は、前記複数の予測されたルート内の主要交差点の周囲に円形を含む、請求項１２に記載の方法。
【請求項１４】
前記移動モバイルクライアントに、前記決定された複数の着目地点に関する情報の最初の薄層と、後の厚層とを伝送することをさらに含み、該薄層は、該決定された複数の着目地点に関する名称と場所情報とを含み、該厚層は、該決定された複数の着目地点に関するユーザ生成ＰＯＩ情報を含む、請求項１０〜１３のいずれかに記載の方法。
【請求項１５】
移動モバイルクライアント上に現在の関連着目地点への方向を表示する方法であって、該方法は、
サーバに、該移動モバイルクライアントの現在の場所を持続的に伝送することと、
該サーバから、複数の着目地点を持続的に受信することであって、該複数の着目地点は、該移動モバイルクライアントに関連付けられた検索基準に基づき、該検索基準は、移動モバイルクライアントのユーザに関連付けられた利用パターンを含み、該複数の着目地点は、該モバイルクライアントによって移動されるように予測される複数の可能性のあるルート上に位置する、ことと、
該受信された複数の着目地点を記憶することと、
該記憶された複数の着目地点から現在の着目地点を持続的に決定することと、
該ユーザに、該決定された現在の着目地点への方向を通信することと
を含む、方法。
【請求項１６】
前記持続的に決定された現在の着目地点は、前記モバイルクライアントの変化した現在の場所に基づく、請求項１５に記載の方法。
【請求項１７】
前記サーバから、前記複数の着目地点に関する情報の最初の薄層と、後の厚層とを受信することをさらに含み、該薄層は、該複数の着目地点に関する名称と場所情報とを含み、該厚層は、該複数の着目地点に関するユーザ生成ＰＯＩ情報を含む、請求項１５または１６に記載の方法。
【請求項１８】
前記サーバに、前記モバイルクライアントの速度および該モバイルクライアントの進行方向のうちの１つを伝送することをさらに含み、指定の目的地が不明の場合、該速度および該進行方向のうちの１つは、該サーバによって使用され、前記複数の着目地点を決定する、請求項１５〜１７のいずれかに記載の方法。
【請求項１９】
ユーザデータベース記憶モジュールをさらに含み、該ユーザデータベースモジュールは、前記移動モバイルクライアントのユーザに属する少なくとも１つのユーザプロフィールを含むように構成されており、該ユーザプロフィール情報は、前記特定のユーザに関連付けられた選好、過去の検索基準および頻繁に訪れた着目地点を含む、請求項１〜５のいずれかに記載の装置。
【請求項２０】
前記着目地点決定モジュールは、前記移動モバイルクライアントの現在の場所から、所定の時間内で到達可能な着目地点を決定するように構成されている、請求項１〜５および１９のいずれかに記載の装置。
【請求項２１】
前記運転パターンは、ユーザデータベースに基づき、該ユーザデータベースは、前記ユーザに関連付けられた選好、過去の検索基準および頻繁に訪れた着目地点を含む、請求項１０〜１４のいずれかに記載の方法。
【請求項２２】
前記予測されたルート上の着目地点は、前記移動モバイルクライントの現在の場所から、所定の時間制限内で到達可能である、請求項１０〜１４および２１のいずれかに記載の方法。
【手続補正２】
【補正対象書類名】明細書
【補正対象項目名】００１４
【補正方法】変更
【補正の内容】
【００１４】
一実施形態では、サーバはまた、ＰＯＩ情報をモバイルクライアントデバイスに伝送する前に、ＰＯＩ情報の時間的関連性を決定する。ＰＯＩ情報が、ＰＯＩ情報に対する所定の検索持続時間内で作成または更新された場合、サーバは、ＰＯＩ情報をモバイルクライアントデバイスに伝送する。そうでなければ、サーバは、ＰＯＩ情報をモバイルクライアントデバイスに伝送しない。
例えば、本発明は以下の項目を提供する。
（項目１）
移動モバイルクライアント上に表示するために、予測検索結果を持続的に決定するための装置であって、
該移動モバイルクライアントの現在の場所を持続的に受信するための通信モジュールと、
該通信モジュールに通信可能に連結され、該受信された現在の場所に基づいて、道路ネットワーク地図に対して、該移動モバイルクライアントの場所を持続的に突き止めるための場所決定モジュールと、
該場所決定モジュールに通信可能に連結され、該道路ネットワーク地図上で、該移動モバイルクライアントによって移動可能な複数のルートを持続的に予測するための予測ツリージェネレータであって、該複数の予測ルートは、該移動モバイルクライアントの現在の場所の変化に応答して、再予測される、予測ツリージェネレータと、
該予測ツリージェネレータに通信可能に連結され、該移動モバイルクライアントに関連付けられた検索基準に基づいて、該複数の予測ルート上の複数の着目地点を持続的に決定するための着目地点決定モジュールと
を備える、装置。
（項目２）
前記通信モジュールは、前記移動モバイルクライアントの速度および該移動モバイルクライアントの進行方向のうちの１つをさらに受信し、前記予測ツリージェネレータは、該速度および該進行方向のうちの１つを使用して、前記複数のルートを予測する、項目１に記載の装置。
（項目３）
前記複数の予測ルートに基づいて、検索空間を生成するための検索空間ジェネレータをさらに備え、前記着目地点決定モジュールは、該検索空間内の該複数の予測ルートを検索し、前記複数の着目地点を決定する、項目１に記載の装置。
（項目４）
前記検索空間は、前記複数の予測ルート内の主要交差点の周囲に円形を備える、項目３に記載の装置。
（項目５）
前記通信モジュールは、前記移動モバイルクライアントに、決定された複数の着目地点に関する情報の最初の薄層と、後の厚層とを伝送し、該薄層は、該決定された複数の着目地点に関する名称と場所情報とを備え、該厚層は、該決定された複数の着目地点に関するユーザ生成ＰＯＩ情報を備える、項目１に記載の装置。
（項目６）
移動モバイルクライアント上に現在関連する着目地点への方向を表示するための装置であって、
サーバに、該モバイルクライアントの現在の場所を持続的に伝送し、該サーバから、複数の着目地点を持続的に受信するための通信モジュールであって、該複数の着目地点は、該移動モバイルクライアントに関連付けられた検索基準に基づき、該複数の着目地点は、該モバイルクライアントによって移動されると予測される複数の可能性のあるルート上に位置する、通信モジュールと、
受信された複数の着目地点を記憶するための記憶モジュールと、
該記憶モジュールに通信可能に連結され、記憶された複数の着目地点から現在の着目地点を持続的に決定するための現在の着目地点決定モジュールと
を備える、装置
（項目７）
前記現在の着目地点決定モジュールは、前記モバイルクライアントの変化した現在の場所に基づいて、前記現在の着目地点を持続的に決定する、項目６に記載の装置。
（項目８）
前記通信モジュールは、前記サーバから、前記複数の着目地点に関する情報の最初の薄層と、後の厚層とを受信し、該薄層は、該複数の着目地点に関する名称と場所情報とを備え、該厚層は、該複数の着目地点に関するユーザ生成ＰＯＩ情報を備える、項目６に記載の装置。
（項目９）
前記通信モジュールは、前記サーバに、前記モバイルクライアントの速度および該モバイルクライアントの進行方向のうちの１つをさらに伝送し、該速度および進行方向のうちの１つは、該サーバによって使用され、前記複数の着目地点を決定する、項目６に記載の装置。
（項目１０）
ユーザに、決定された現在の着目地点への方向を通信するためのユーザインターフェースモジュールをさらに備える、項目６に記載の装置。
（項目１１）
移動モバイルクライアント上に現在の関連着目地点への方向を表示する方法であって、
該移動モバイルクライアントの現在の場所を持続的に受信することと、
該受信された現在の場所に基づいて、道路ネットワーク地図上の該移動モバイルクライアントの場所を持続的に突き止めることと、
持続的に受信された現在の場所に基づいて、該道路ネットワーク地図上の該移動モバイルクライアントによって移動可能な複数のルートを持続的に予測することであって、該複数の予測ルートは、該移動モバイルクライアントの現在の場所の変化に伴って変化する、ことと
該複数の予測ルート上の複数の着目地点を持続的に決定することと
を含む、方法。
（項目１２）
前記移動モバイルクライアントの速度および該移動モバイルクライアントの進行方向のうちの１つを受信することをさらに含み、前記複数のルートは、該受信された速度および進行方向のうちの１つに基づいて予測される、項目１１に記載の方法。
（項目１３）
複数の予測ルートに基づいて、検索空間を生成することをさらに含み、複数の決定された着目地点が、該検索空間内かつ該複数の予測ルート上に位置する、項目１１に記載の方法。
（項目１４）
前記検索空間は、前記複数の予測ルート内の主要交差点の周囲に円形を含む、項目１３に記載の方法。
（項目１５）
前記移動モバイルクライアントに、決定された複数の着目地点に関する情報の最初の薄層と、後の厚層とを伝送することをさらに含み、該薄層は、該決定された複数の着目地点に関する名称と場所情報とを含み、該厚層は、該決定された複数の着目地点に関するユーザ生成ＰＯＩ情報を含む、項目１１に記載の方法。
（項目１６）
移動モバイルクライアント上に現在の関連着目地点への方向を表示する方法であって、
サーバに、該モバイルクライアントの現在の場所を持続的に伝送することと、
該サーバから、複数の着目地点を持続的に受信することであって、該複数の着目地点は、該移動モバイルクライアントに関連付けられた検索基準に基づき、該複数の着目地点は、該モバイルクライアントによって移動されると予測される複数の可能性のあるルート上に位置する、ことと、
受信された複数の着目地点を記憶することと、
記憶された複数の着目地点から現在の着目地点を持続的に決定することと
を含む、方法。
（項目１７）
持続的に決定される現在の着目地点は、前記モバイルクライアントの変化した現在の場所に基づく、項目１６に記載の方法。
（項目１８）
前記サーバから、前記複数の着目地点に関する情報の最初の薄層と、後の厚層とを受信することをさらに含み、該薄層は、該複数の着目地点に関する名称と場所情報とを含み、該厚層は、該複数の着目地点に関するユーザ生成ＰＯＩ情報を含む、項目１６に記載の方法。
（項目１９）
前記サーバに、前記モバイルクライアントの速度およびモバイルクライアントの進行方向のうちの１つを伝送することをさらに含み、該速度および進行方向のうちの１つは、該サーバによって使用され、前記複数の着目地点を決定する、項目１６に記載の方法。
（項目２０）
ユーザに、決定された現在の着目地点への方向を通信することをさらに含む、項目１６に記載の方法。